(57)【特許請求の範囲】
【請求項１】
エアゾール容器のガスを抜くとき、反転して同エアゾール容器に取り付け、そのエアゾール容器のステムの先端をステム突き当て部に突き当て、押し下げることにより該ステムを押し込むエアゾール容器のキャップにおいて、
前記エアゾール容器のステムが入り込むステム嵌入穴を頂部中央に上向きに設けてそのステム嵌入穴の底部を前記ステム突き当て部とするとともに、そのステム突き当て部から放射状にのばして前記弾性支持部を設けてその弾性支持部を介して前記ステム突き当て部を支持してなる、エアゾール容器のキャップ。
【請求項２】
前記ステム嵌入穴の周壁にスリットを設け、そのスリットで仕切って前記ステム嵌入穴の周壁に前記弾性支持部を形成してなる、請求項１に記載のエアゾール容器のキャップ。
【発明の詳細な説明】
【０００１】
【発明の属する技術分野】
この発明は、殺虫剤・塗料・化粧料・洗剤などの内容物を収容するエアゾール容器に関する。詳しくは、そのようなエアゾール容器において、エアゾール容器内に内容物が未だあるときは、不使用時に、エアゾール容器に取り付け、ステムに取り付ける噴射釦を被う一方、エアゾール容器内の内容物を使い切ったときは、反転してエアゾール容器に取り付け、ステムを押し下げてエアゾール容器内のガス抜きを行うキャップに関する。
【０００２】
【従来の技術】
従来、この種のキャップの中には、たとえば図１０に示すように、キャップ1の頂部１ａ中央に円筒部１ｂを設けてその中に上向きにステム嵌入穴１ｃを形成し、そのステム嵌入穴１ｃの底部をステム突き当て部１ｄとするとともに、その周囲にガス排出口１ｅを設けるものがある。
【０００３】
そして、エアゾール容器内の内容物を使い切ったとき、たとえば図９に示すように、反転してステム嵌入穴１ｃ内にステム２とともにステム保持部３を挿入してエアゾール容器４に取り付け、そのステム２の先端をステム突き当て部１ｄに突き当て、同キャップ1を押し下げることにより、該ステム２を図９中鎖線で示す位置から実線で示す位置へと押し込み、図示するように頂部１ａをエアゾール容器４のマウンテンカップ５に押し当てた状態で保持し、ステム２から噴出するガスをガス排出口１ｅから外部へと排出し、エアゾール容器４のガス抜きを行うものがある（実開平１−１５１８６１号公報参照）。
【０００４】
【発明が解決しようとする課題】
ところが、この種のエアゾール容器４にあっては、ステム保持部３からのステム２の突出長さＬは、必ずしも一定ではなく、たとえば図８のＡないしＬに示すように大きくばらついていた。
【０００５】
しかし、従来は、たとえば図７（Ａ）に示すように押し込み後のステム突出長さがＬ１となるようにステム突き当て部１ｄと頂部１ａ間距離をａに設定したキャップ１を使用していた。ところが、そのようなキャップ１を使用すると、図８のＡ、Ｃ、Ｄ、Ｆ、Ｉ、Ｊ、Ｋ、Ｌのエアゾール容器４のガス抜きを行うことはできるが、Ｂ、Ｅ、Ｇ、Ｈのエアゾール容器４のガス抜きを行うことはできなかった。
【０００６】
後者のエアゾール容器４のガス抜きも可能とすべく、図７（Ｂ）に示すように押し込み後のステム突出長さがＬ2となるようにステム突き当て部１ｄと頂部１ａ間距離をｂに設定したキャップ１を使用すると、図８のＡ、Ｃ、Ｄ、Ｆ、Ｉ、Ｊ、Ｋ、Ｌのエアゾール容器４のガス抜きを行うときに、ガスが勢いよく噴出して周囲を汚す問題があった。
【０００７】
そこで、この発明の課題は、ガスが勢いよく噴出して周囲を汚すおそれがなく、すべてのエアゾール容器のガス抜きを行うことができる、ガス抜き具を兼ねるエアゾール容器用キャップを提供することにある。
【０００８】
【課題を解決するための手段】
そのため、この発明は、エアゾール容器のガスを抜くとき、反転して同エアゾール容器に取り付け、そのエアゾール容器のステムの先端をステム突き当て部に突き当て、押し下げることにより該ステムを押し込むエアゾール容器のキャップにおいて、
エアゾール容器のステムが入り込むステム嵌入穴を頂部中央に上向きに設けてそのステム嵌入穴の底部をステム突き当て部とするとともに、そのステム突き当て部から放射状にのばして弾性支持部を設けてその弾性支持部を介してステム突き当て部を支持してなる、ことを特徴とする。
【０００９】
たとえば、ステム嵌入穴の周壁にスリットを設け、そのスリットで仕切って前記ステム嵌入穴の周壁に弾性支持部を形成してなる。
【００１０】
【発明の実施の形態】
以下、図面を参照しつつ、この発明を説明する。
図1には、この発明によるキャップ１０をエアゾール容器２０に取り付けた状態で示す。
【００１１】
エアゾール容器２０は、容器本体２１内に、殺虫剤・塗料・化粧料・洗剤などの内容物を収容する。上部には上向きにステム３０を突出し、そのステム３０に噴射釦２２を取り付けてなる。そして、使用時は、キャップ１０を取り外して噴射釦２２を押し下げることにより、ステム３０を押し込み、内容物を噴射釦２２のノズル２２ａから吐出する。
【００１２】
不使用時は、図示するように、噴射釦２２を被ってキャップ１０を被せ、後述する複数の内向き突部１１ｂを、図示するようにエアゾール容器２０の巻き締め部２３に掛け止めてなる。
【００１３】
図２にはキャップ１０の縦断面、図３には平面、図４には底面を示す。
キャップ１０は、円筒状の側部１１と球面状の頂部１２とからなる。
【００１４】
側部１１には、内面に、高さ方向にのびる補強リブ１１ａを、周方向に４５度置きに８つ設ける。また、下縁に沿って周方向にのびる上述した内向き突部１１ｂを、周方向に９０度置きに４つ設ける。
【００１５】
一方、頂部１２には、中央に、中間段部１２ａを有するステム嵌入穴１２ｂを上向きに設け、その底部をステム突き当て部１２ｃとする。そして、ステム嵌入穴１２ｂの下段の小径部まわりを下方に向けて漸次小径となるようにテーパ状につくり、該ステム嵌入穴１２ｂの小径部から中間段部１２ａにかけてのびるスリットｓを、周方向に９０度置きに４つ設け、そのスリットｓで仕切って、ステム突き当て部１２ｃから放射状にのびてそのステム突き当て部１２ｃを支持する弾性支持部１２ｄを４つ形成する。
【００１６】
また、キャップ１０の頂部１２には、ステム嵌入穴１２ｂを中心としてそのまわりに環状の嵌合凹部１２ｅを設ける。その嵌合凹部１２ｅには、周方向に１２０度置きに３つの円弧孔１２ｆをあける。円弧孔１２ｆの上縁には、掛止突部１２ｇを形成する。
【００１７】
この発明によるキャップ１０は、たとえば以上のように形成する。
そして、エアゾール容器２０の内容物を使い切ったとき、同エアゾール容器２０のステム３０から噴射釦２２を取り外し、キャップ１０を反転して図５に示すように同エアゾール容器２０に取り付ける。
【００１８】
このとき、エアゾール容器２０のステム３０をステム嵌入穴１２ｂ内に入れて先端をステム突き当て部１２ｃに突き当てる。その後、該キャップ１０を押し下げて上向き付勢力に抗してステム３０を押し込むと、ステム３０から噴出するガスがスリットｓを通して外部に排出される。
【００１９】
ステム３０の先端が突き当たるステム突き当て部１２ｃの内面は、たとえば格子状の溝や平行溝を有する面とか、凹凸を有するシボ面とかにして、ステム３０の噴出口を塞がないようにし、ステム３０から噴出したガスがそれらの溝とか凹部を通してスリットｓから外部に排出され得るようにする。
【００２０】
そして、図８のＡ、Ｃ、Ｄ、Ｆ、Ｉ、Ｊ、Ｋ、Ｌのようにステム３０の突出長さＬが大きいときは、ステム３０のさらなる押し込みとともに、徐々にステム３０の上向き付勢力が大きくなってやがて図６（Ａ）に示すように弾性支持部１２ｄにはたわみを生ずる。
【００２１】
一方、図８のＢ、Ｅ、Ｇ、Ｈのようにステム３０の突出長さＬが小さいときは、図６（Ｂ）に示すように弾性支持部１２ｄがたわむ前にステム３０が完全に押し込まれる。
【００２２】
そして、やがて嵌合凹部１２ｅ内にエアゾール容器２０のマウンテンカップ２４をはめ込み、マウンテンカップ２４の一部を円弧孔１２ｆ内に入れてそのマウンテンカップ２４に掛止突部１２ｇを掛け止め、キャップ１０をエアゾール容器２０に掛け止めて、ステム３０を押し込み状態で保持し、エアゾール容器２０内のガスを完全に抜く。
【００２３】
ところで、この発明にあっては、上述した図８の場合で説明すれば、ばらつくステム突出長さのすべてに対応できるようにし、図８のＢ、Ｅ、Ｇ、Ｈのようにステム３０の突出長さＬが小さいときは、たとえば図５に示すように押し込み後のステム突出長さＬがＬ２となるようにステム突き当て部１２ｃと掛止突部１２ｇ間距離をｃに設定する。
【００２４】
この発明によれば、図８のＡ、Ｃ、Ｄ、Ｆ、Ｉ、Ｊ、Ｋ、Ｌのようにステム３０の突出長さＬが大きいときは、ステム３０を押し込むとき弾性支持部１２ｄをたわませてその押し込みを緩衝するから、ステム３０からガスが勢いよく噴出することを防止することができる。
【００２５】
なお、上述した図示例では、ステム嵌入穴１２ｂを中心としてそのまわりに環状の嵌合凹部１２ｅを設け、その嵌合凹部１２ｅに、エアゾール容器２０のマウンテンカップ２４を嵌合することにより、キャップ１０をエアゾール容器２０に掛け止め、ガス抜きを安定して行うことができるようにした。しかし、ガス抜きを行うとき他の手段でキャップ１０をエアゾール容器２０に掛け止めるようにしてもよいが、必ずしもキャップ１０をエアゾール容器２０に掛け止めるようにすることを要しない。
【００２６】
また、上述した図示例では、スリットｓを４つ設けて弾性支持部１２ｄを４つ形成したが、弾性支持部１２ｄは４つに限らないことはいうまでもない。
【００２７】
【発明の効果】
以上説明したとおり、この発明によれば、ステムの突出長さが大きいときは、ステムを押し込むとき弾性支持部をたわませてその押し込みを緩衝するから、ステムからガスが勢いよく噴出することなく、突出長さがばらつくすべてのステムに対応してすべてのエアゾール容器のガス抜きを行うことができる。
【図面の簡単な説明】
【図１】この発明によるキャップをエアゾール容器に取り付けた取り付け状態側面図である。
【図２】同キャップの縦断面図である。
【図３】同キャップの平面図である。
【図４】同キャップの底面図である。
【図５】ガス抜きを行うときキャップを反転してエアゾール容器に取り付けた取り付け状態の部分破断図である。
【図６】同キャップを用いてガス抜きを行うときのステム押し込み状態図で、（Ａ）は弾性支持部がたわんでいる状態、（Ｂ）はたわみのない状態を示す。
【図７】（Ａ）は従来のキャップを用いてガス抜きを行うときのステム押し込み状態図で、（Ｂ）は仮に押し込み量が大きいキャップを用いてガス抜きを行うときのステム押し込み状態図である。
【図８】ステム突出長さＬがエアゾール容器においてばらつくことを示すグラフである。
【図９】従来のキャップでガス抜きをしている状態の部分破断図である。
【図１０】同従来のキャップの縦断面図である。
【符号の説明】
１０      キャップ
１１      側部
１１ａ    補強リブ
１１ｂ    内向き突部
１２      頂部
１２ａ    中間段部
１２ｂ    ステム嵌入穴
１２ｃ    ステム突き当て部
１２ｄ    弾性支持部
１２ｅ    嵌合凹部
１２ｆ    円弧孔
１２ｇ    掛止突部
２０      エアゾール容器
２１      容器本体
２２      噴射釦
２２ａ    ノズル
２３      巻き締め部
２４      マウンテンカップ
３０      ステム
ｓ        スリット
【図１】
0004136154.tif 000002
【図２】
0004136154.tif 000003
【図３】
0004136154.tif 000004
【図４】
0004136154.tif 000005
【図５】
0004136154.tif 000006
【図６】
0004136154.tif 000007
【図７】
0004136154.tif 000008
【図８】
0004136154.tif 000009
【図９】
0004136154.tif 000010
【図１０】
0004136154.tif 000011